(57)【要約】【課題】  表示装置又はそれを備えた機器の使い勝手を向上させる。【解決手段】  表示制御部１は、第１種情報、例えば、映像に関するビデオ情報信号を生成するための第１の構成を有している。第１の構成は、例えば、フレームバッファ３と、画素密度変換部７と、映像信号を記憶する映像ラインメモリ１１と、色空間変換部１５と、γ補正ルックアップテーブル（ＬＵＴ）１７と、を有している。表示制御部１は、映像入力信号Ｓ１を、メモリコントローラ５により決められたパネル解像度情報、ＥＰＧの表示位置情報に基づいて、ビデオ映像とＥＰＧ表示とを表示部に表示させることができる。ラインメモリコントローラ２７により、このＥＰＧ画面の表示位置又は表示領域（面積又は縦横比）を変更することができるように構成されている。メモリコントローラ５内に記憶されている現在の表示位置又は現在の表示領域を、例えば、リモコン又はＧＵＩなどの操作部１２からの入力に基づいて変更することにより、表示位置又は表示領域の変更することができる。【選択図】  図１
2005215523.tif 000002
【特許請求の範囲】
【請求項１】
表示部と、
該表示部の表示に関する制御を行う表示制御部であって、前記表示部における表示特性を変化させる制御を行う表示制御部と
を備える表示装置。
【請求項２】
前記表示制御部は、前記表示部の表示領域の大きさに基づいて、表示の解像度を調整する機能を有することを特徴とする請求項１に記載の表示装置。
【請求項３】
表示部と、
該表示部に第１の表示特性に基づく第１の表示部を生成するとともに、該第１の表示部とは異なる第２の表示特性に基づく第２の表示部を生成する制御を行う表示制御部と、を有する表示装置。
【請求項４】
前記表示制御部は、前記第１の表示部と前記第２の表示部との表示領域の大きさに基づいて、前記第１の表示部又は前記第２の表示部の少なくともいずれかの表示の解像度を調整する機能を有することを特徴とする請求項３に記載の表示装置。
【請求項５】
前記第１の表示部と前記第２の表示部とには、それぞれ、映像情報と該映像情報とは異なる非映像情報とが表示されることを特徴とする請求項３又は４に記載の表示装置。
【請求項６】
前記非映像情報は、前記映像情報と関連する映像関連情報であることを特徴とする請求項５に記載の表示装置。
【請求項７】
表示部と、
該表示部に第１の表示特性に基づく第１の表示部を生成するとともに、該第１の表示部とは異なる第２の表示特性に基づく第２の表示部を生成する制御を行う表示制御部であって、前記第１の表示部と前記第２の表示部との表示領域の大きさに基づいて、前記第１の表示部又は前記第２の表示部の少なくともいずれかの表示の解像度を調整する機能を有する表示制御部と、を有し、前記第１表示部と前記第２表示部とには、映像情報と該映像情報に関する電子番組情報とがそれぞれ表示されることを特徴とする表示装置。
【請求項８】
前記第１の表示部と前記第２の表示部とは、同じ表示画面上に表示されることを特徴とする請求項３から７までのいずれか１項に記載の表示装置。
【請求項９】
前記第１の表示部と前記第２の表示部とは、異なる表示画面上に表示されることを特徴とする請求項３から７までのいずれか１項に記載の表示装置。
【請求項１０】
さらに、前記表示装置に関連するアクション又はイベントの変更の検出結果に応じて、前記表示特性を調整する表示特性調整部を有することを特徴とする請求項１から９までのいずれか１項に記載の表示装置。
【請求項１１】
さらに、前記アクション又はイベントの変更を検出するモニタ部を有することを特徴とする請求項１０に記載の表示装置。
【請求項１２】
前記モニタ部は、表示装置の移動速度を検出する加速度センサを有することを特徴とする請求項１１に記載の表示装置。
【請求項１３】
第１表示情報を表示する第１表示部と、
前記第１表示情報とは異なる第２表示情報を表示する第２の表示部と、
前記第１表示情報又は第２表示情報の少なくともいずれか一方を、異なる表示情報を表示中の表示画面上に表示させる表示制御部を有することを特徴とする表示装置。
【請求項１４】
前記表示制御部は、前記表示部における表示特性を変化させる制御を行うことを特徴とする請求項１３に記載の表示装置。
【請求項１５】
前記表示制御部は、前記表示部の表示領域の大きさに基づいて、表示の解像度を調整する機能を有することを特徴とする請求項１３又は１４に記載の表示装置。
【請求項１６】
さらに、前記表示特性の変更操作を行う操作部を有することを特徴とする請求項１から１５までのいずれか１項に記載の表示装置。
【請求項１７】
前記表示部はタッチパネル入力機構を有することを特徴とする請求項１から１６までのいずれか１項に記載の表示装置。
【請求項１８】
表示部を有する表示装置における表示制御方法であって、
前記表示部に第１の表示特性に基づく第１の表示を生成するとともに、該第１の表示とは異なる第２の表示特性に基づく第２の表示を生成するステップと、
前記第１表示と前記第２表示とのそれぞれの表示領域の大きさに基づいて、表示の解像度を調整するステップと
を有することを特徴とする表示方法。
【請求項１９】
第１表示部と第２表示部とを有する表示装置における表示制御方法であって、
前記第１表示部に第１の表示特性に基づく第１の表示を生成するとともに、前記第２表示部に、前記第１の表示特性とは異なる第２の表示特性に基づく第２の表示を生成するステップと、
前記表示部に表示される表示の表示特性に基づいて、それぞれの表示の解像度を調整するステップと
を有することを特徴とする表示方法。
【請求項２０】
請求項１８又は１９のいずれかに記載のステップを、コンピュータに実行させるためのプログラム。
【発明の詳細な説明】
【技術分野】
【０００１】
本発明は、表示装置における表示技術に関し、特に、映像と文字の表示など異なる種別の表示又は異なる内容のデジタルデータを表示させる際の表示制御技術に関する。
【背景技術】
【０００２】
従来から、表示装置においてユーザの使い勝手を良くするための様々な表示方法が提案されている。例えば、高解像度による情報量の多さと表示内容の見やすさとを両立させるために、ユーザが所定の操作を行うことで、ウインドウ内領域に表示されるテキストや画像などの様々なデータに基づく表示を適切な解像度の表示に変更することができる技術がある（例えば、特許文献１参照）。
【０００３】
また、表示すべき文字データ画面の解像度とモニタ部の解像度とが異なる場合、特にモニタ部の解像度が低い場合においても、文字データ画面に基づく文字表示が可能になる表示方法として、文字表示機能における文字幅と文字高とで規定される論理サイズのうち最大に近いサイズのフォントを選択して表示させる方法がある（例えば、特許文献２参照）。
【０００４】
【特許文献１】特願２００１−２８２８９５号公報
【特許文献２】特願２００２−２８７７３４号公報
【発明の開示】
【発明が解決しようとする課題】
【０００５】
ところで、最近では、マルチメディア技術の発展に伴い、同じ表示制御部によって制御される１又は２以上の表示部において、表示部内にデータ内容又はデータ種別の異なるデジタルデータに基づく表示（以下、マルチ表示と称する。）を行わせることができるようになってきた。例えば、テレビ放送を受信し、表示するテレビジョン受像装置において、映像データに基づく動画表示と、文字放送に基づくテキスト表示とを、表示画面上の別領域又は別画面に表示させる表示（以下、マルチ表示と称する。）に関する技術が発達してきている。
【０００６】
本発明は、新規なマルチ表示技術により、表示装置又はそれを備えた機器の使い勝手を向上させることを目的とする。
【課題を解決するための手段】
【０００７】
本発明の一観点によれば、表示部と、該表示部の表示に関する制御を行う表示制御部であって、前記表示部における表示特性を変化させる制御を行う表示制御部とを備える表示装置が提供される。表示装置の最大解像度までの範囲内において、表示の変化に応じて、解像度等の設定値を自動的に調整することができる。表示特性の調整は、表示装置における表示メモリの量又は割当てを調整することによって行うことも可能である。
尚、表示特性は、例えば、表示部における表示位置、表示領域の大きさ、解像度等を含む。
【０００８】
前記表示制御部は、前記表示部の表示領域の大きさに基づいて、表示の解像度を調整する機能を有することを特徴とする。例えば、最大解像度までの範囲で解像度を自動的に変化させることもできる。或いは、表示メモリの量又は割当てを調整することもできる。
【０００９】
本発明の他の観点によれば、表示部と、該表示部に第１の表示特性に基づく第１の表示部を生成するとともに、該第１の表示部とは異なる第２の表示特性に基づく第２の表示部を生成する制御を行う表示制御部と、を有する表示装置が提供される。前記表示制御部は、前記第１の表示部と前記第２の表示部との表示領域の大きさに基づいて、前記第１の表示部又は前記第２の表示部の少なくともいずれかの表示の解像度を調整する機能を有することを特徴とする。
【００１０】
上記表示装置によれば、第１の表示部と第２の表示部との大きさに基づいて表示の解像度を変更するため、表示の大きさに変化があっても表示に関する認識がしやすくなる。
【００１１】
さらに、前記表示装置に関連するアクション又はイベントの変更の検出結果に応じて、前記表示特性を調整する表示特性調整部を有するのが好ましい。前記アクション又はイベントの変更を検出するモニタ部を有するのが好ましい。
【００１２】
これにより、アクションやイベントの変更などの外的な要因があっても、認識しやすい表示を行うことができる。前記表示部はタッチパネル入力機構を有することにより、表示の変更を行いやすくなる。
【発明の効果】
【００１３】
表示装置における表示の変更に応じて、解像度などの表示特性を調整することができるため、例えば、文字データなどを必要に応じて見やすくすることができるという利点がある。
【発明を実施するための最良の形態】
【００１４】
本明細書において、「表示特性」とは、表示解像度、表示領域の大きさ、表示位置、表示画面が複数ある場合の表示対象などが含まれる。
【００１５】
以下、本発明の実施の形態による表示装置について、図面を参照しつつ説明を行う。図１は、本実施の形態による表示装置の例として示す液晶テレビジョン（以下、「液晶テレビ」と称する。）に設けられているデジタル放送の表示制御部の構成例を示す機能ブロック図である。まず表示制御技術について図１を参照しつつ説明を行う。
【００１６】
図１に示すように、本実施の形態による表示制御部１は、第１種情報、例えば、映像に関するビデオ情報信号を生成するための第１の構成を有している。第１の構成は、例えば、フレームバッファ３と、画素密度変換部７と、映像信号を記憶する映像ラインメモリ１１と、色空間変換部１５と、γ補正ルックアップテーブル（ＬＵＴ）１７と、を有している。フレームバッファ３は、映像入力信号Ｓ１を第１種情報、例えばビデオ映像信号Ｓ２と、それ以外の情報信号Ｓ３と、に分離する。画素密度変換部７は、入力映像をパネル（表示パネル）の解像度に変換するスケーリング回路である。色空間変換部１５は、ビデオ信号であるＹＣｂＣｒ／ＹＰｂＰｒ色信号を、例えば一般的な表示に適した現色系のＲＧＢ信号に変換する。γ補正ＬＵＴ１７は、モニタに表示される全体的な表示の明るさと色の彩度を変えるγ補正を行う。この際にＬＵＴを用いることにより、複雑な操作をＬＵＴマッピングの単一ステップに変えて複雑な計算を簡単にすることができる。
【００１７】
さらに、表示制御部１は、第１種情報以外の情報である第２種情報、例えば電子番組情報（ＥＰＧ）を生成するためのパケット信号に含まれるＥＰＧ信号Ｓ３を含む第２の構成を有している。第２の構成は、例えば、ＥＰＧ信号を記憶するＥＰＧラインメモリ２７と、ＥＰＧルックアップテーブル（ＬＵＴ）３１と、を有している。また、表示制御部１は、操作部１２と関連付けされており、操作部１２からの入力操作に基づき種々の表示に関する手動操作を行うことができる。操作部１２は、例えば、入力用の各種ボタンや方向キー、選択確定キーなどを備えており、例えば液晶テレビのリモコンに設けられていても良い。
【００１８】
同期信号発生器２３は、各構成部の同期をとるための同期信号を生成する。表示制御部１は、さらにメモリコントローラ５を有している。メモリコントローラ５は、ベースとなるパネル解像度、それに対するＥＰＧの位置情報等を記憶しており、これらの記憶情報を同期信号発生部２３からの同期信号Ｓ７に基づく同期タイミングに合わせて読み出し、フレームバッファ３に出力する。ラインメモリコントローラ２５は、同期信号Ｓ４に同期して映像ラインメモリ１１とＥＰＧラインメモリ２７との記憶処理を制御する。
【００１９】
γ補正ＬＵＴ１７からの出力信号であるビデオ信号Ｓ５と、ＥＰＧ  ＬＵＴ３１からの出力信号であるＥＰＧ信号Ｓ６と、をミキシング回路２１において合成した映像出力信号Ｓ９と、同期信号発生器２３からの同期信号Ｓ８とに基づいて合成部３３において表示信号Ｓ１０が生成され、表示部に入力される。
【００２０】
上記構成を具備する表示制御部１によれば、映像入力信号Ｓ１を、メモリコントローラ５により決められたパネル解像度情報、ＥＰＧの表示位置情報に基づいて、ビデオ映像とＥＰＧ表示とを表示部に表示させることができる。
【００２１】
以下に、上記表示制御部の機能を有する表示装置に関する各実施の形態による表示装置について説明を行う。まず、本発明の第１の実施の形態による表示装置について、図面を参照しつつ説明を行う。本実施の形態による表示装置の表示部は、１つの画面内に第１の画面表示とこの第１の表示画面と独立に解像度を変更することができる第２の表示画面とを有している。
【００２２】
図２に示すように、本実施の形態による表示装置は、省スペースであり、消費電力が小さく環境にも優しいという特徴を有する液晶テレビである。図２に示すように、本実施の形態による液晶テレビ３１は、表示画面３３の主要部である第１の表示画面３５上にテレビ放送などの映像が表示対象とされており、例えば第１の表示画面３５の下部に第２の表示画面３７が例えば横長（図では、縦横比１：１０程度）に配置されている。第２の表示画面３７は、第１の表示画面３５と同じ表示対象（この場合は、映像）を表示させることもできるが、主として異なる表示対象、例えば、種々の文字データなどを表示させるために用いられる。
【００２３】
図４は、第２の表示画面３７上に表示されている文字データ、例えばＥＰＧ画面の例を示す図である。図４に示すように、本実施の形態によるＥＰＧ画面４１は、縦軸にチャネル（番組）４３が、横軸に時間帯４５が表示され、それぞれのチャネルと時間帯とのマトリックスに対応する位置に番組名などの番組情報４７が表示されている。ユーザが、液晶テレビにおいて視聴したい番組を、図示しない操作装置、例えばリモコンなどに付随する選択機能を用いて選択すると、選択された番組の視聴予約を行うことができる。文字データ内には、文字データ画面の解像度、表示する文字のデータ、文字サイズ、表示期間などの情報が含まれている。
【００２４】
本実施の形態による表示装置では、ラインメモリコントローラ２５（図１）により、このＥＰＧ画面の表示位置又は表示領域（面積又は縦横比）を変更することができるように構成されている。例えば、図１に示すメモリコントローラ５内に記憶されている現在の表示位置又は現在の表示領域を、例えば、リモコン又はＧＵＩなどの操作部１２（図１）からの入力に基づいて変更することにより、表示位置又は表示領域の変更することができる。例えば、図３に示すように、図４に示すＥＰＧを表示させている第２の表示画面３７を、符号３７ａで示すように、より大きな領域に拡大表示させることが可能である。
【００２５】
操作の手順としては、例えば図示しないプロセッサを含んでいる操作部１２において、そのプロセッサが、必要に応じてメモリコントローラ５の制御を変更する。変更方法としては種々の方法がありメモリコントローラ５の内部構成などに応じて異なるが、一例としては、製品仕様などに応じて複数の画面構成に関するパラメータが記載されたテーブルを予め又は追加的に用意（記憶）しておき、ユーザの操作に応じて適切なテーブルを検索し、検索されたテーブル内のパラメータを参照することにより変更を行うことができる。メモリコントローラ５は、テーブルのパラメータに基づいて画面表示の制御を行う。例えば、ＥＰＧ等のサイズや位置に関するパラメータを発行し、メモリコントローラ５はそのデータに対応したテーブルを生成してそのパラメータに基づいてラインメモリコントローラ２５を制御することにより画面表示の制御を行うことができる。
【００２６】
さらに、この際、映像表示とＥＰＧ表示とを異なる解像度に調整することができる。また、文字データ（ＥＰＧデータ）に含まれている文字データ画面の解像度を、表示領域の拡大・縮小などの変化に応じて調整することもできる。表示領域の拡大・縮小などを変化させた場合にも、変化に応じて解像度を調整することができるため、文字データの表示を見やすくすることができる。
【００２７】
尚、本実施の形態による表示装置においては、文字データとしてＥＰＧデータを例にして説明したが、その他の文字データに関しても同様に表示領域を変更することが可能であり、また、表示領域の変更に応じて表示の解像度を調整することも可能である。同時に表示することで、放送を見ながらＥＰＧも見ることも可能である。
【００２８】
次に、本発明の第２の実施の形態による表示装置について図面を参照しつつ説明を行う。図５は、本実施の形態による液晶テレビ（表示装置）の正面図である。図５に示すように、本実施の形態による液晶テレビ４１は、映像表示用の第１の表示画面４３と、例えば第１の表示画面４３の下部に別の小型表示画面である第２の表示画面４５が例えば横長（図では、縦横比１：１０程度）に配置されている。第２の表示画面には、文字データが表示可能であり、例えば、図３に示すＥＰＧ画面（のうちの例えば一列）が表示可能であり、ユーザは、ＥＰＧ画面をチャネル順にずらしながら見ることができる。
【００２９】
ここで、ユーザが、一日の全チャネルの番組を画面上で見たいと思った場合には、図６に示すように、例えば、リモコン又はＧＵＩなどの操作部１２（図１）からの入力に基づいて、ＥＰＧの表示を第１の表示画面４３に表示４３ａとして表示させることができる。この際、ＥＰＧの解像度を所望の値まで又は表示領域の面積の増大に応じて高くするように調整することが可能である。ＥＰＧを表示させている場合の解像度と、映像を表示させている場合の解像度と、を異なる解像度とすることも可能であり、また、同じ解像度にすることも可能である。第１の表示画面４３の一部領域のみにＥＰＧ表示を行わせることも可能である。
【００３０】
尚、小型の第２の表示画面４５は、第１の表示画面４３と異なる表示原理に基づく表示パネルであってもよい。例えば、第１の表示画面４３が液晶パネルであり、第２の表示画面４５がＬＥＤパネルであっても良いし、逆であっても良い。すなわち、表示原理によって制限されることはない。また、第１の表示画面４３が液晶テレビに設けられ、第２の表示画面４５が液晶テレビと接続可能な記録再生装置に設けられていても良い。あるいは、第２の表示画面４５がリモートコントロール装置に設けられていても良い。同時に表示することで、放送を見ながらＥＰＧも見ることも可能である。
【００３１】
次に、本発明の第３の実施の形態による表示装置について、図面を参照しつつ説明を行う。図７は、本実施の形態による表示装置は、携帯端末装置、例えばＰＤＡである。図７に示すように、本実施の形態によるＰＤＡ５１は、情報を表示する表示部５３と、種々の操作を行う操作ボタン５５と、選択を確定する確定ボタン５７と、手入力を行うためのスタイラスペン６０と、を有している。さらに、本実施の形態によるＰＤＡは、例えば図８にその原理を示すタッチパネル機能を有している。図８に示すアクチィブマトリックス型液晶ディスプレイパネル６１は、ガラス基板６２、６４および偏光板６１、６５で液晶６３を挟んだ構造を有している。また、図８において、符号７１、７３、７５は、それぞれの液晶セルに対応する表示画素電極である。符号８０は共通電極である。スタイラスペン６０により圧力によって発生する電圧は、偏光板６１およびガラス基板６２を介して、液晶セルの表示画素電極（ここでは、表示画素電極７１、７３）に印加される。以上、ペン６０により押下圧力を印加する液晶ディスプレイパネル６１上の位置に基づいて、表示画面上における座標位置又はこれにより確定される領域を指定することができる。以上のように、公知のタッチパネル機能を用いることで、ペン入力により表示領域などの指定もすることができる。或いは、ペン入力を用いないで操作者が直接指タッチで指定してもよい。
【００３２】
図７において、表示部５３内のテレビ映像などが表示されている画面内に、ユーザがスタイラスペン６０により画定した領域ＡＲ１内に、例えば図２に示すＥＰＧなどの文字データを表示させることもできる。このＥＰＧ表示に基づいて、視聴したい番組を指定又は予約することができる。尚、この場合、ＥＰＧはインターネットによりダウンロードしたデータに基づいて表示させても良い。操作ボタン５５と確定ボタン５７とを用いて、ＥＰＧ表示と映像表示とを切り替えて表示させることができるように構成しても良い。或いは、図９に示すように、表示中のＥＰＧ画面をスタイラスペンによりドラッグすることで（ＡＲ２からＡＲ３）、ＥＰＧの表示位置を変更することも可能である。また、スタイラスペン６０で画定された領域の、解像度や表示位置、表示対象（映像、ＥＰＧ）をスタイラスペン操作により切り換えることも可能である。
【００３３】
以上に説明したように、タッチパネルを用いると、簡単に拡大・縮小表示が可能であるため、素早い操作が可能となる。尚、大きな画面の表示装置においいぇは、必ずしも全画面をタッチパネル領域とする必要はなく、一部の領域内において拡大縮小が可能であっても良い。
【００３４】
次に、本発明の第４の実施の形態による表示装置について図面を参照しつつ説明を行う。本実施の形態による表示装置は、表示装置と関連付けされている種々のセンサによるセンシング結果に基づいて、第１の表示画面と第２の表示画面との表示領域又は解像度を変更させる点を特徴とする。図１０に示すように、本実施の形態による表示装置は、図７に示すＰＤＡ５１と同様の構成のＰＤＡ７１に加えて、表示制御と関連付けされたセンサ７３を有している。センサ７３は、例えば加速度センサであり、ユーザがＰＤＡ７１の表示画面７５を見ながら移動している場合に、加速度センサ７３においてユーザ、すなわちＰＤＡ７１の移動速度をセンシングする。加速度センサ７３においてセンシングした加速度（移動速度に換算できる）に基づいて、表示領域が大きくなるように調整することにより（座標（ｘ０，ｙ０）から（ｘ１，ｙ１）のように、移動中においても文字データ（ＥＰＧ）を見やすくすることができる。あるいは、例えばＰＤＡ７１を手に持って振るなどの特定の動作を加速度センサによりセンシングさせて、表示領域を調整することもできる。また、表示領域の変化に応じて解像度も変更されるように制御しても良い。例えばセンサにより検知される変化の度合いと直線（ｘ０，ｙ０）−（ｘ１，ｙ１）の傾きが対応するようにすれば良い。
【００３５】
センサとしては、その他、光量センサ（フォトダイオード）、照度センサなども利用できる。例えば光量センサにより周囲が明るいことがわかればＥＰＧ表示領域は小さくても見やすいが、光量センサにより周囲が暗いことを検知すると、ＥＰＧ表示領域を大きくして見やすくするようにすることも可能である。或いは、時計機能を利用して設定されたある時刻になると自動的に表示画面が変更されるようにしても良い。
【００３６】
次に、本発明の第５の実施の形態による表示装置について図面を参照しつつ説明を行う。本実施の形態による表示装置は、例えば携帯電話機などの通信機能を具備する携帯端末である。図１１は、本実施の形態による携帯電話機の正面図である。図１１に示すように、本実施の形態による携帯電話機８０は、通信機能８１（アンテナ及び図示しない無線送受信ユニットで代表させる）と、表示画面８３と、操作ボタン８２と、表示画面８３中において、ＥＰＧなどの文字データを表示するための表示領域８５の大きさ、表示位置、又は解像度などを変更するための変更ボタン８７を有している。この変更ボタンは、例えば、操作の仕方又は操作時間によって変更の度合いを調整できるようになっていても良い。図１１の右図は、表示領域の一部領域のＥＰＧ表示を表示領域全体に拡大表示させる例を示す図である。
【００３７】
本実施の形態による携帯電話機によれば、通信機能８１により受信した映像データとＥＰＧデータとを表示する際の、表示特性（解像度を含む）を、変更ボタン８７により変更することができる。この際、例えば、携帯電話機を把持した方の指のうちの一本のみによって上記変更操作することができるという利点がある。
【００３８】
次に、本発明の第５の実施の形態の第１変形例による携帯電話機について図１２を参照しつつ説明を行う。図１２は、本実施の形態の第１変形例による携帯電話機であって、携帯電話機の正面図（図１２（Ａ））と裏面図（図１２（Ｂ））とを示した図である。図１２（Ａ）、（Ｂ）に示すように、本実施の形態の第１変形例による携帯電話機８０は、正面側（図１２（Ａ））に第１表示画面８３が、裏面側（図１２（Ｂ））に第２表示画面８３ａが設けられている。携帯電話機８０には、図１１と同様の構成と機能とを有する変更ボタン８７が設けられており、この変更ボタン８７を操作することにより、映像表示とＥＰＧ表示とを正面側の第１表示画面８３と裏面側の第２表示画面８３ａとのいずれかに択一的に表示させる切り替えを行うことができる。これにより、ＥＰＧ表示などの文字データ表示の視認性を上げることも可能である。
【００３９】
次に、本実施の形態の第２変形例による携帯電話機について図１３を参照しつつ説明を行う。本変形例による携帯電話機８０は、通信機能８１の受信状況によってＥＰＧ表示領域を変更させることができる調整部８６を有している。調整部８６は、例えば、新しいＥＰＧデータなどの文字データを検知した際に、文字データの表示が大きくなるように表示の調整を行う。これにより、モニタ情報に基づいて文字データの内容が更新された際に、ユーザに更新された旨とその更新内容とを、表示領域を変更することおよびその表示内容により知らせることができる。連続的に解像度を変更できる操作ボタンを設けても良いし、表示領域の大きさの変化やモニタリングに応じて連続的に解像度が変化するようにしても良い。
【００４０】
次に、本発明の第６の実施の形態による表示装置について、図面を参照しつつ説明を行う。図１４は図１に対応する図であり、同じ構成については符号を援用する。図１４に示すように、本実施の形態による表示装置に設けられた表示制御部１は、メモリコントローラ５に、例えば操作部１２の操作又はモニタの検出結果に基づいて変更される表示領域の大きさの変化に対応して、モニタの解像度を自動的に変更する解像度自動変更機構５ａを有している。解像度自動変更機構５ａは、表示パネルの最大解像度の範囲内において、表示領域の変更に応じて自動的に表示に適した又はそれに近い解像度に変更する。或いは、全体のメモリ中において表示用の表示メモリの量を変更するか又は第１表示と第２表示とに対する表示メモリの割当てを調整するようにしても良い。例えば、ＥＰＧ表示画面の大きさを４倍（縦横２倍）に変更した場合に、ＥＰＧ表示領域の解像度を６４０×４８０から、１０２４×７６８に自動的に変更するか、或いは表示メモリの割当てを通常の３２Ｍｂｉｔから１２８Ｍｂｉｔに変更する。これにより、例えばＥＰＧ表示を大きくして見ようとした場合に、解像度又は表示メモリを変更して対応し、見やすい表示を得ることができる。
【００４１】
尚、上記本発明の各実施の形態による表示装置に適用可能な一技術について、図１５を参照して以下に説明する。この技術は、出願人が開発してＬＣフォントという技術であり（特開２００１−１００７２５号公報参照）、１つの文字を構成するベクトルデータを基に、文字の滑らかさを損なうことなく大小様々なサイズのフォントを自動生成する技術である。ベクトルデータとして表される文字の交点や端点など、文字を構成するポイントとして重要なポイントを、座標データに置き換えている。これにより、文字データを表示する際に必要なメモリ容量を少なくすることができるとともに、同じメモリ容量で比べると従来よりも鮮明な文字を表示させることができる。さらに、図１５に示すように、文字の拡大・縮小操作時には、ポイント間隔を変更（例えば、Ｐ１−Ｐ２間隔Ｌ１を、Ｐ１’−Ｐ２’間隔Ｌ２に変更）することで、必要なメモリ容量の増大を防止することができる。このＬＣフォント技術を用いると、表示メモリの容量が限られている場合であっても、表示領域の拡大・縮小に応じてポイント間隔を変更することで、鮮明な文字を表示させることができる。
【００４２】
以上、本発明の各実施の形態について説明したが、本発明は、ＥＰＧ以外の文字データの表示にも適用可能である。例えば、音楽プレーヤに用いられる楽曲名リストなどのデータ情報や、携帯電話機の住所録、電話番号帳、電子メールの受信データなどが含まれる。
【産業上の利用可能性】
【００４３】
本発明による表示装置の対象としては、パーソナルコンピュータや音楽用の携帯型視聴装置などにも適用できる。
【図面の簡単な説明】
【００４４】
【図１】本実施の形態による表示装置の例として示す液晶テレビに設けられているデジタル放送の表示制御部の構成例を示す機能ブロック図である。
【図２】本発明の第１の実施の形態による表示装置の正面図である。
【図３】図２に示す表示装置において、第２画面表示領域を変更した様子を示す図である。
【図４】文字データの例としてＥＰＧの例を示す図である。
【図５】本発明の第２の実施の形態による表示装置の正面図である。
【図６】図５に示す表示装置において、第２の画面表示を第１の画面に表示させる様子を示す図である。
【図７】本発明の第３の実施の形態による表示装置（ＰＤＡ）の構成例を示す正面図である。
【図８】図７において表示部に適用したタッチパネルの構成例を示す断面図である。
【図９】図７に示す装置において、文字データの表示領域（第２の画面表示）を移動させた例を示す図である。
【図１０】本発明の第４の実施の形態による表示装置（ＰＤＡ）の構成例を示す正面図である。
【図１１】本発明の第５の実施の形態による表示装置（携帯電話機）の構成例を示す正面図である。
【図１２】図１２（Ａ），（Ｂ）は、本発明の第５の実施の形態の第１変形例による携帯電話機の構成例を示す図である。
【図１３】本発明の第５の実施の形態の第２変形例による携帯電話機の構成例を示す図である。
【図１４】表示制御部の他の例を示す機能ブロック図であり、図１に対応する図である。
【図１５】表示領域の拡大時にＬＣフォント技術を適用した様子を示す図である。
【符号の説明】
【００４５】
１…表示制御部、３…フレームバッファ、７…画素密度変換部、１１…映像ラインメモリ、１５…色空間変換部、１７…γ補正ルックアップテーブル（ＬＵＴ）。
【図１】
2005215523.tif 000003
【図２】
2005215523.tif 000004
【図３】
2005215523.tif 000005
【図４】
2005215523.tif 000006
【図５】
2005215523.tif 000007
【図６】
2005215523.tif 000008
【図７】
2005215523.tif 000009
【図８】
2005215523.tif 000010
【図９】
2005215523.tif 000011
【図１０】
2005215523.tif 000012
【図１１】
2005215523.tif 000013
【図１２】
2005215523.tif 000014
【図１３】
2005215523.tif 000015
【図１４】
2005215523.tif 000016
【図１５】
2005215523.tif 000017